(57)【要約】【課題】第１片および第２片の外形を、優れた位置精度で形成することのできる配線回路基板集合体シートの製造方法、それにより製造される配線回路基板集合体シート、および、それから製造する配線回路基板の製造方法を提供すること。【解決手段】配線回路基板集合体シート１は、平行する短手方向一端縁４および他端縁５を有する支持シート６と、支持シート６において互いに間隔を隔てて配置される複数の配線回路基板７とを備える。配線回路基板７は、略矩形枠状の金属系部９を備える。金属系部９は、支持シート６の厚み方向と直交する第１方向に沿う第１金属片１１と、厚み方向および第１方向と直交する第２方向に沿う第２金属片１２とを含む。第１金属片１１および２金属片１２が、ともに、支持シート６の短手方向一端縁４に対して傾斜している。【選択図】図１
2019212657.tif 000002
【特許請求の範囲】
【請求項１】
平行する２つの端縁を有する支持シートと、
前記支持シートにおいて互いに間隔を隔てて配置される複数の配線回路基板とを備え、
前記配線回路基板は、略矩形枠状の金属系部を備え、
前記金属系部は、
前記支持シートの厚み方向と直交する第１方向に沿う第１片と、
前記厚み方向および前記第１方向と直交する第２方向に沿う第２片とを含み、
前記第１片および前記第２片が、ともに、前記支持シートの前記端縁に対して傾斜していることを特徴とする、配線回路基板集合体シート。
【請求項２】
前記金属系部が、配線を含むことを特徴とする、請求項１に記載の配線回路基板集合体シート。
【請求項３】
前記金属系部が、支持層を含むことを特徴とする、請求項１または２に記載の配線回路基板集合体シート。
【請求項４】
支持シートと、前記支持シートにおいて互いに間隔を隔てて配置される複数の配線回路基板とを備える配線回路基板集合体シートの製造方法であり、
略矩形枠状のエッチングレジストであって、前記支持シートの厚み方向と直交する第１方向に沿う第１レジスト片と、前記厚み方向および前記第１方向と直交する第２方向に沿う第２レジスト片とを含む前記エッチングレジストを、金属系シートに配置して、前記金属系シートおよび前記エッチングレジストを備えるレジスト積層体を作製する第１工程、および、
前記レジスト積層体を移動させながら、前記エッチングレジストから露出する前記金属系シートをエッチングして、前記第１レジスト片に被覆される第１片と、前記第２レジスト片に被覆される第２片とを含み、略矩形枠状の金属系部を形成して、前記金属系部を備える前記配線回路基板を製造する第２工程を備え、
前記第２工程では、前記第１レジスト片と前記第２レジスト片とが、ともに、前記レジスト積層体の移動方向に対して傾斜する状態で、前記レジスト積層体を移動させながら、前記エッチングレジストから露出する前記金属系シートをエッチングすることを特徴とする、配線回路基板集合体シートの製造方法。
【請求項５】
第１工程において、前記第１レジスト片の第２方向長さと、前記第２レジスト片の第１方向長さとを同一にすることを特徴とする、請求項４に記載の配線回路基板集合体シートの製造方法。
【請求項６】
請求項４または５に記載の配線回路基板集合体シートの製造方法により、配線回路基板集合体シートを製造する工程、および、
前記配線回路基板を前記支持シートから分離する工程
を備えることを特徴とする、配線回路基板の製造方法。
【発明の詳細な説明】
【技術分野】
【０００１】
本発明は、配線回路基板集合体シート、その製造方法および配線回路基板の製造方法に関する。
【背景技術】
【０００２】
従来、前後左右に延びるシート状の支持シート上に矩形状の複数の導体パターンを形成して、複数の導体パターンを含む集合体シートを製造する方法が知られている（例えば、特許文献１参照。）。
【０００３】
特許文献１では、複数の導体パターンのそれぞれは、左右方向に延び、互いに平行する前後片、および、それらの両端縁を連結し、前後方向に延び、互いに平行する左右片を一体的に有している。
【先行技術文献】
【特許文献】
【０００４】
【特許文献１】特開２００４−１６５３７５号公報
【発明の概要】
【発明が解決しようとする課題】
【０００５】
しかるに、特許文献１に記載される導体パターンを、平板状の導体シートをエッチングして形成するサブトラクティブ法で形成する場合には、まず、導体シートの表面に、エッチングレジストを所定のパターンで配置し、次いで、これらをエッチング装置に向けて搬送する。
【０００６】
エッチングレジストは、形成したい導体パターンと同一パターンを有する前後片および左右片を有する。また、支持シートは、搬送方向に沿って平行する２つの端縁を有しており、この端縁に、エッチングレジストの左右片が平行し、また、エッチングレジストの前後片の延長線が直交している。一方で、エッチング装置には、積層体の搬送方向と直交する左右方向に沿って、エッチング液の吐出口が整列配置されている。
【０００７】
そして、エッチング装置内において、積層体は、搬送方向に進行しながら、エッチングレジストから露出する金属系シートが、左右方向に沿って吐出されたエッチング液に接触される。
【０００８】
この際、エッチングレジストの前片には、エッチング液が衝突し、前片の前方の金属系シートを勢いよくエッチングする。
【０００９】
続いて、エッチングレジストの左右片には、これに沿ってエッチング液が流れており、かかるエッチング液によって、前片の前方の金属系シートのエッチングに比べて緩慢に、左右片の外側の金属系シートをエッチングする。
【００１０】
さらに、エッチングレジストの後片には、左右片の外側を流れるエッチング液が極めて緩やかに回りこむ。そのため、かかるエッチング液によって、左右片の外側の金属系シートのエッチングに比べて緩慢に、後片の後方の金属系シートをエッチングする。
【００１１】
そのため、エッチングレジストの前片および左右片に対応する、導体パターンの前片および左右片の外形の位置精度が低下する。また、エッチングレジストの後片および左右片に対応する、導体パターンの後片および左右片の外形の位置精度が低下する。そのため、導体パターンが所望の電気特性を得ることができないという不具合がある。
【００１２】
本発明は、第１片および第２片の外形を、優れた位置精度で形成することのできる配線回路基板集合体シートの製造方法、それにより製造される配線回路基板集合体シート、および、それから製造する配線回路基板の製造方法を提供する。
【課題を解決するための手段】
【００１３】
本発明（１）は、平行する２つの端縁を有する支持シートと、前記支持シートにおいて互いに間隔を隔てて配置される複数の配線回路基板とを備え、前記配線回路基板は、略矩形枠状の金属系部を備え、前記金属系部は、前記支持シートの厚み方向と直交する第１方向に沿う第１片と、前記厚み方向および前記第１方向と直交する第２方向に沿う第２片とを含み、前記第１片および前記第２片が、ともに、前記支持シートの前記端縁に対して傾斜している、配線回路基板集合体シートを含む。
【００１４】
この配線回路基板集合体シートでは、支持シートを２つの端縁が延びる方向に沿って搬送しながら、その搬送方向と直交する方向に配置されるパターン形成装置によって、配線回路基板集合体シートの金属系部が形成される場合には、第１片および第２片は、ともに、搬送方向に対して傾斜する。そのため、第１片および第２片は、ともに、パターン形成装置に対しても傾斜している。すると、第１片および第２片は、ともに、パターン形成装置によって、同様のエッチング条件で形成される。そのため、第１片および第２片の外形は、同じ精度で形成される。その結果、配線回路基板集合体シートは、外形の位置精度に優れる金属系部を備える配線回路基板を備えることができる。
【００１５】
本発明（２）は、前記金属系部が、配線を含む、（１）に記載の配線回路基板集合体シートを含む。
【００１６】
この配線回路基板集合体シートでは、金属系部が配線を含むので、所望の電気特性を奏することができる。
【００１７】
本発明（３）は、前記金属系部が、支持層を含む、（１）または（２）に記載の配線回路基板集合体シートを含む。
【００１８】
この配線回路基板集合体シートでは、金属系部が、支持層を含むので、所望の熱伝導性を奏することができる。
【００１９】
本発明（４）は、支持シートと、前記支持シートにおいて互いに間隔を隔てて配置される複数の配線回路基板とを備える配線回路基板集合体シートの製造方法であり、略矩形枠状のエッチングレジストであって、前記支持シートの厚み方向と直交する第１方向に沿う第１レジスト片と、前記厚み方向および前記第１方向と直交する第２方向に沿う第２レジスト片とを含む前記エッチングレジストを、金属系シートに配置して、前記金属系シートおよび前記エッチングレジストを備えるレジスト積層体を作製する第１工程、および、前記レジスト積層体を移動させながら、前記エッチングレジストから露出する前記金属系シートをエッチングして、前記第１レジスト片に被覆される第１片と、前記第２レジスト片に被覆される第２片とを含み、略矩形枠状の金属系部を形成して、前記金属系部を備える前記配線回路基板を製造する第２工程を備え、前記第２工程では、前記第１レジスト片と前記第２レジスト片とが、ともに、前記レジスト積層体の移動方向に対して傾斜する状態で、前記レジスト積層体を移動させながら、前記エッチングレジストから露出する前記金属系シートをエッチングする、配線回路基板集合体シートの製造方法を含む。
【００２０】
この配線回路基板集合体シートの製造方法の第２工程では、第１レジスト片および第２レジスト片は、ともに、移動方向に対して傾斜する。そのため、エッチング装置に対しても傾斜している。すると、第１片と第２片とが、ともに、エッチング装置によって、同様のエッチング条件で形成される。そのため、第１片および第２片の外形を、同じ精度で形成することができる。その結果、外形の位置精度に優れる金属系部を備える配線回路基板集合体シートを製造することができる。
【００２１】
本発明（５）は、前記第１レジスト片の第２方向長さと、前記第２レジスト片の第１方向長さとが、同一である、（４）に記載の配線回路基板集合体シートの製造方法を含む。
【００２２】
第１レジスト片に対しては、エッチングが衝突して、そのまま第１レジスト片の第２方向一方近傍の金属系シートをエッチングする一方、エッチング液の一部は、第１レジスト片を乗り越えて、第１レジスト片の第２方向他方近傍の金属系シートをエッチングする。また、第２レジスト片についても、エッチング液が衝突して、そのまま第２レジスト片の第１方向一方近傍の金属系シートをエッチングする一方、エッチング液の一部は、第２レジスト片を乗り越えて、第２レジスト片の第１方向他方近傍の金属系シートをエッチングする。
【００２３】
上記したように、第１レジスト片の第２方向一方近傍の金属系シートのエッチングと、第２レジスト片の第１方向一方近傍の金属系シートのエッチングとは、同様の条件で実施している。
【００２４】
そして、この製造方法では、第１工程において、第１レジスト片の第２方向長さと、第２レジスト片の第１方向長さとを同一にしている。そのため、第２工程では、エッチング液が第１レジスト片を乗り越える条件と、エッチング液が第２レジスト片を乗り越える条件とを同様にでき、ひいては、第１レジスト片の第２方向他方近傍の金属系シートのエッチングと、第２レジスト片の第１方向他方近傍の金属系シートのエッチングとを、同様の条件で実施できる。
【００２５】
そのため、第１レジスト片に被覆される第１片の第２方向長さと、第２レジスト片に被覆される第２片の第１方向長さとを同一にすることができる。
【００２６】
本発明（５）は、（４）に記載の配線回路基板集合体シートの製造方法により、配線回路基板集合体シートを製造する工程、および、前記配線回路基板を前記支持シートから分離する工程を備える、配線回路基板の製造方法を含む。
【００２７】
この配線回路基板の製造方法は、上記した配線回路基板集合体シートを製造し、その後、配線回路基板を支持シートから分離するので、外形の位置精度に優れる金属系部を備える配線回路基板を製造することができる。
【発明の効果】
【００２８】
本発明の配線回路基板集合体シートは、外形の位置精度に優れる金属系部を備える配線回路基板を備えることができる。
【００２９】
本発明の配線回路基板集合体シートの製造方法は、外形の位置精度に優れる金属系部を備える配線回路基板集合体シートを製造することができる。
【００３０】
本発明の配線回路基板の製造方法は、外形の位置精度に優れる金属系部を備える配線回路基板を製造することができる。
【図面の簡単な説明】
【００３１】
【図１】図１は、本発明の配線回路基板集合体シートの一実施形態の平面図を示す。なお、左下図は、支持シートに支持される配線回路基板の拡大図、右下図は、支持シートから分離した配線回路基板の拡大図を示す。
【図２】図２Ａ〜図２Ｄは、図１に示す配線回路基板集合体シートの製造方法の工程図であり、図１のＸ−Ｘ線に沿う断面図であって、図２Ａが、基材準備工程、図２Ｂが、ドライフィルムレジストを配置する工程、図２Ｃが、レジスト積層体を作製するレジスト配置工程、図２Ｃ’が、図２Ｃに示すレジスト積層体の拡大断面図、図２Ｄが、エッチング工程を示す。
【図３】図３Ｅ〜図３Ｇは、図２Ｄに引き続き、図１に示す配線回路基板集合体シートの製造方法の工程図であり、図１のＸ−Ｘ線に沿う断面図であって、図３Ｅが、レジスト除去工程、図３Ｆが、カバー工程、図３Ｇが、外形加工工程を示す。
【図４】図４Ａ〜図４Ｃは、図２Ｄに示すエッチング工程を詳説する図であって、図４Ａが、平面図、図４Ｂが、側面図、図４Ｃが、図４Ａおよび図４ＢのＹ−Ｙ線に沿う正断面図を示す。
【図５】図５Ａ〜図５Ｃは、配線回路基板集合体シートの製造方法の比較例であって、図５Ａが、平面図、図５Ｂが、エッチング途中のレジスト積層体の正断面図、図５Ｃが、エッチング後の金属系部を含むレジスト積層体の正断面図を示す。
【図６】図６Ａおよび図６Ｂは、図１に示す配線回路基板集合体シートの配線回路基板の変形例の拡大平面図であり、図６Ａが、他方側第１金属片より第２方向長さが長い一方側第１金属片と、他方側第２金属片より第１方向長さが長い一方側第２金属片とからなる金属系部を備える態様、図６Ｂが、一方側第２金属片の第１方向長さよりも長い第２方向長さを有する一方側第１金属片と、他方側第２金属片の第１方向長さよりも長い第２方向長さを有する他方側第１金属片とからなる金属系部を備える態様を示す。
【図７】図７Ａ〜図７Ｅは、図２Ａ〜図３Ｇの製造方法の変形例であり、図７Ａが、三層基材を準備する工程、図７Ｂが、第１回目のレジスト配置工程、図７Ｃが、第１回目のエッチング工程、図７Ｄが、レジスト除去工程、図７Ｅが、絶縁樹脂部を形成する工程を示す。
【図８】図８Ｆ〜図８Ｉは、図７Ｅに引き続き、図２Ａ〜図３Ｇの製造方法の変形例であり、図８Ｆが、カバー工程、図８Ｇが、第２回目のレジスト配置工程、図８Ｈが、第２回目のエッチング工程図８Ｉが、レジスト除去工程を示す。
【図９】図９Ａおよび図９Ｂは、図２Ａ〜図４Ｃに示す配線回路基板集合体シートの製造方法の変形例の平面図であって、図９Ａが、エッチング工程においてエッチング装置に搬送されるレジスト積層体、図９Ｂが、得られた配線回路基板集合体シートを示す。
【発明を実施するための形態】
【００３２】
本発明の配線回路基板集合体シートおよびその製造方法の一実施形態を、図１〜図４Ｃを参照して、説明する。なお、図２Ｃ’および図４の左側図において、太線矢印は、エッチング液の流れを示す。図４Ａの右側図および図４Ｂにおいて、極太矢印は、レジスト積層体の搬送方向を示す。
【００３３】
図１に示すように、この配線回路基板集合体シート１は、長手方向に沿って延びる長尺シート形状を有する。図３Ｇに示すように、また、配線回路基板集合体シート１は、厚みを有しており、厚み方向一方面および他方面を含む。図１および図３Ｇに示すように、さらに、配線回路基板集合体シート１は、長手方向および厚み方向と直交する短手方向長さを有しており、短手方向一端縁４および他端縁５を含む。短手方向一端縁４および他端縁５は、長手方向に沿って平行する。
【００３４】
配線回路基板集合体シート１の面方向は、上記した長手方向および短手方向を含む。また、配線回路基板集合体シート１の厚み方向は、面方向と直交する方向である。配線回路基板集合体シート１の短手方向長さは、配線回路基板集合体シート１の長手方向長さに対して、短い。
【００３５】
この配線回路基板集合体シート１は、支持シート６と、複数の配線回路基板７とを備える。
【００３６】
支持シート６は、配線回路基板集合体シート１と同一の平面視形状（外形形状）を有する。つまり、支持シート６は、平行する２つの端縁の一例としての短手方向一端縁４および他端縁５を備える。支持シート６は、例えば、絶縁シートである。支持シート６の材料としては、例えば、ポリイミドなどの樹脂（可撓性を有する樹脂材料）などが挙げられる。支持シート６の厚みは、例えば、１μｍ以上、好ましくは、１０μｍ以上であり、また、例えば、１０ｍｍ以下、好ましくは、１ｍｍ以下である。
【００３７】
複数の配線回路基板７は、支持シート６に分離可能に支持されている。複数の配線回路基板７は、支持シート６において互いに間隔を隔てて整列配置されている。
【００３８】
配線回路基板７は、平面視略矩形状（好ましくは、略正方形状）を有する。また、配線回路基板７は、支持シート６の長手方向および短手方向に対して傾斜する第１方向に沿い、第１方向および厚み方向と直交する第２方向において互いに対向配置される２つの第１端縁１８を備える。２つの第１端縁１８は、同一長さを有する。
【００３９】
また、配線回路基板７は、第２方向に沿い、第１方向において互いに間隔を隔てて対向配置される２つの第２端縁１９を備える。２つの第２端縁１９は、同一長さを有し、２つの第１端縁１８を連結する。配線回路基板７において、２つの第１端縁１８と２つの第２端縁１９とは、一体的に形成される。なお、第１方向および第２方向の長手方向および短手方向に対する傾斜は、金属系部９の説明時に詳説する。
【００４０】
配線回路基板７は、支持部８と、支持部８の厚み方向一方面に配置される金属系部９と、支持部８の厚み方向一方面に、金属系部９を被覆するように配置されるカバー層１４とを備える。好ましくは、配線回路基板７は、支持部８と、金属系部９と、カバー層１４とのみを備える。
【００４１】
支持部８は、配線回路基板７と同一の平面視形状を有する。つまり、支持部８は、平面視略矩形状を有する。具体的には、支持部８は、第１方向に沿い、第２方向において互いに対向配置される２つの第１端縁１８を備える。２つの第１端縁１８は、同一長さを有する。２つの第１端縁１８は、同一長さを有する。
【００４２】
また、支持部８は、第２方向に沿い、第１方向において互いに間隔を隔てて対向配置される２つの第２端縁１９を備える。２つの第２端縁１９は、同一長さを有し、２つの第１端縁１８を連結する。支持部８において、２つの第１端縁１８と２つの第２端縁１９とは、一体的に形成される。
【００４３】
また、支持部８は、支持シート６に対して分離可能に支持されている。具体的には、支持部８の周囲には、開口部１３が形成されており、支持部８は、ジョイント１０を介して、周囲の支持シート６に連結されている。開口部１３は、配線回路基板７を囲む平面視略矩形枠形状を有する。ジョイント１０は、例えば、４つの端縁（２つの第１端縁１８、および、２つの第２端縁１９）のそれぞれと、支持シート６において開口部１３に面する４つの内端縁のそれぞれとを連結する。なお、ジョイント１０は、支持部８の周囲に形成される開口部１３を横断する略直線形状を有する。これにより、支持部８は、開口部１３を隔て、かつ、ジョイント１０によって、支持シート６内に懸架されている。
【００４４】
支持部８の外形寸法は、配線回路基板７の用途および目的に応じて、適宜設定されている。例えば、支持部８の平面積Ｓ１は、後述する金属系部９の平面積Ｓ２との比が後述する範囲となるように設定されている。なお、支持部８の平面積Ｓ１は、配線回路基板７の平面積Ｓ０と、例えば、同一である。支持部８の厚みおよび材料は、支持シート６のそれらと同様である。
【００４５】
金属系部９は、平面視において、略矩形枠形状、好ましくは、略正方形枠形状を有する。また、金属系部９は、厚み方向に投影したときに、支持部８に含まれている。金属系部９は、平面視において、支持部８の内側において、支持部８の中央部を除く領域に形成されている。金属系部９は、例えば、信号線（差動配線など）、パワー線（電源配線など）、グランド線（接地線など）、アンテナ線（送受信線など）などの配線を含む。なお、金属系部９は、例えば、平面視において、上記した各配線の機能に対応する補助部（端子など）（図示せず）をさらに有してもよい。
【００４６】
金属系部９は、支持部８の４つの端縁のそれぞれに沿う４つの片を有する。詳しくは、金属系部９は、２つの第１端縁１８のそれぞれに沿い、２つの第１端縁１８の内側に配置される２つの第１金属片１１と、２つの第２端縁１９のそれぞれに沿い、２つの第２端縁１９の内側に配置される２つの第２金属片１２とを一体的に備える。
【００４７】
２つの第１金属片１１は、第１方向に沿う略直線形状を有する。２つの第１金属片１１は、同じ長さを有し、互いに平行している。また、２つの第１金属片１１は、第２方向に互いに間隔を隔てて配置されている。２つの第１金属片１１のそれぞれは、例えば、断面視略矩形状を有する。２つの第１金属片１１は、第２方向一方側に配置される一方側第１金属片６１と、その第２方向他方側に配置される他方側第１金属片６２とからなる。
【００４８】
一方側第１金属片６１は、第２方向一方側に面する外側面としての第１外側面６３と、他方側第１金属片６２に面する内側面としての第１内側面６４と、それらの厚み方向一端縁を連結する第１上面６８とを有する。第１外側面６３および第１内側面６４は、平行する。第１上面６８は、支持部８の厚み方向一方面に平行する。
【００４９】
他方側第１金属片６２は、一方側第１金属片６１に面する内側面としての第２内側面６５と、第２方向他方側に面する外側面としての第２外側面６６と、それらの厚み方向他端縁を連結する第２上面６９とを有する。第２内側面６５および第２外側面６６は、平行する。第２上面６９は、支持部８の厚み方向一方面に平行する。
【００５０】
第１金属片１１、詳しくは、第１金属片１１が沿う第１方向は、平面視において、支持シート６の短手方向一端縁４に対して傾斜している。具体的には、平面視において、第１金属片１１を延長した第１延長線Ｅ１と、支持シート６の短手方向一端縁４とのなす角度は、少なくとも第１鋭角α１を有しており、かかる第１鋭角α１は、例えば、２０度以上、好ましくは、３０度以上、より好ましくは、４０度以上であり、また、７０度以下、好ましくは、６０度以下、より好ましくは、５０度以下であり、とりわけ好ましくは、４５度である。
【００５１】
第１金属片１１の幅Ｗ１は、第１金属片１１の第２方向長さＷ１であって、詳しくは、第１外側面６３および第１内側面６４間の長さ、および、第２内側面６５および第２外側面６６間の長さのそれぞれと同一長さである。具体的には、第１金属片１１の幅Ｗ１は、例えば、３μｍ以上、好ましくは、１０μｍ以上であり、また、例えば、１０００μｍ以下、好ましくは、５００μｍ以下である。
【００５２】
第１金属片１１の第１方向長さＬ１は、例えば、５０μｍ以上、好ましくは、１００μｍ以上、より好ましくは、３００μｍ以上であり、また、例えば、１０ｍｍ以下である。第１金属片１１の第１方向長さＬ１の幅Ｗ１に対する比（Ｌ１／Ｗ１）は、例えば、２以上、好ましくは、５以上、より好ましくは、１０以上であり、また、例えば、１０，０００以下、好ましくは、１，０００以下である。
【００５３】
２つの第２金属片１２は、第２方向に沿う略直線形状を有する。２つの第２金属片１２は、同じ長さを有し、互いに平行している。また、２つの第２金属片１２は、第１方向に互いに間隔を隔てて配置されている。２つの第２金属片１２は、２つの第１金属片１１の第１方向両端を、第２方向に沿って連結している。２つの第２金属片１２のそれぞれは、例えば、断面視略矩形状を有する。２つの第２金属片１２は、第１方向一方側に配置される一方側第２金属片７１と、その第１方向他方側に配置される他方側第２金属片７２とからなる。
【００５４】
一方側第２金属片７１は、第１方向一方側に面する外側面としての第３外側面７３と、他方側第２金属片７２に面する内側面としての第３内側面７４と、それらの厚み方向一端縁を連結する第３上面７８とを有する。第３外側面７３および第３内側面７４は、平行する。第３上面７８は、支持部８の厚み方向一方面に平行する。
【００５５】
他方側第２金属片７２は、一方側第２金属片７１に面する内側面としての第４内側面７５と、第１方向他方側に面する外側面としての第４外側面７６と、それらの厚み方向一端縁を連結する第４上面７９とを有する。第４内側面７５および第４外側面７６は、平行する。第４上面７９は、支持部８の厚み方向一方面に平行する。
【００５６】
第２金属片１２、詳しくは、第２金属片１２に沿う第２方向は、第１方向と直交する方向である（直交方向である）。そのため、第２方向（第２金属片１２）は、平面視において、支持シート６の短手方向一端縁４に対して傾斜している。具体的には、平面視において、第２金属片１２を延長した第２延長線Ｅ２と、支持シート６の短手方向一端縁４とのなす角度は、少なくとも第２鋭角α２を有する。第２鋭角α２と第１鋭角α１との合計は、直角である。
【００５７】
第２金属片１２の幅Ｗ２は、第２金属片１２の第１方向長さＷ２であって、詳しくは、第３外側面７３および第３内側面７４間の長さ、および、第４内側面７５および第４外側面７６間の長さのそれぞれと同一長さである。具体的には、第２金属片１２の幅Ｗ２は、例えば、３μｍ以上、好ましくは、１０μｍ以上であり、また、例えば、１０００μｍ以下、好ましくは、５００μｍ以下である。第２金属片１２の幅Ｗ２の、第１金属片１２の幅Ｗ１に対する比（Ｗ２／Ｗ１）は、例えば、０．５以上、好ましくは、０．８以上であり、また、例えば、１．５以下、好ましくは、１．２以下であり、とりわけ好ましくは、１である。
【００５８】
第２金属片１２の第２方向長さＬ２は、例えば、５０μｍ以上、好ましくは、１００μｍ以上、より好ましくは、３００μｍ以上であり、また、例えば、１０ｍｍ以下である。第２金属片１２の第２方向長さＬ２の幅Ｗ２に対する比（Ｌ２／Ｗ２）は、第１金属片１１の第１方向長さＬ１の幅Ｗ１に対する比（Ｌ１／Ｗ１）と同一であり、具体的には、例えば、２以上、好ましくは、５以上、より好ましくは、１０以上であり、また、例えば、１０，０００以下、好ましくは、１，０００以下である。第２金属片１２の第２方向長さＬ２の、第１金属片１１の第１方向長さＬ１に対する比（Ｌ２／Ｌ１）は、例えば、０．５以上、好ましくは、０．８以上であり、また、例えば、１．５以下、好ましくは、１．２以下である。
【００５９】
金属系部９の平面積Ｓ２は、第１上面６８、第２上面６９、第３上面７８および第４上面７９の平面積の合計である。金属系部９の平面積Ｓ２の支持部８の平面積Ｓ１に対する比（Ｓ２／Ｓ１）は、比較的高く、例えば、０．５以上、好ましくは、０．５超過、より好ましくは、０．６以上、さらに好ましくは、０．８以上、また、例えば、１．０未満、好ましくは、０．９５以下である。金属系部９の平面積Ｓ２の配線回路基板７の平面積Ｓ０に対する比（Ｓ２／Ｓ０）は、上記した比（Ｓ２／Ｓ１）と同一である。
【００６０】
金属系部９の厚みは、適宜設定される。第１金属片１１の厚みＴ１および第２金属片１２の厚みＴ２は、例えば、同一であり、例えば、５μｍ以上、好ましくは、５０μｍ以上、より好ましくは、１００μｍ以上であり、また、例えば、１，０００μｍ以下、好ましくは、２００μｍ以下である。第１金属片１１の厚みＴ１の、幅Ｗ１に対する比（Ｔ１／Ｗ１）は、例えば、０．０１以上、好ましくは、０．１以上であり、また、例えば、１００以下、好ましくは、１０以下である。第２金属片１２の厚みＴ２の、幅Ｗ２に対する比（Ｔ２／Ｗ２）は、上記した比（Ｔ１／Ｗ１）と同一である。
【００６１】
金属系部９の材料は、例えば、公知ないし慣用の金属系材料（具体的には、金属材料）から適宜選択して用いることができる。具体的には、金属系材料としては、周期表で、第１族〜第１６族に分類されている金属元素や、これらの金属元素を２種類以上含む合金などが挙げられる。なお、金属系材料としては、遷移金属、典型金属のいずれであってもよい。より具体的には、金属系材料としては、例えば、カルシウムなどの第２族金属元素、チタン、ジルコニウムなどの第４族金属元素、バナジウムなどの第５族金属元素、クロム、モリブデン、タングステンなどの第６族金属元素、マンガンなどの第７族金属元素、鉄などの第８族金属元素、コバルトなどの第９族金属元素、ニッケル、白金などの第１０族金属元素、銅、銀、金などの第１１族金属元素、亜鉛などの第１２族金属元素、アルミニウム、ガリウムなどの第１３族金属元素、ゲルマニウム、錫などの第１４族金属元素が挙げられる。これらは、単独使用または併用することができる。
【００６２】
なお、金属系部９は、材料が金属である金属部９を含む。
【００６３】
カバー層１４は、金属系部９を保護する絶縁層である。カバー層１４は、支持部８において金属系部９から露出する厚み方向一方面と、金属系部９の厚み方向一方面（第１上面６８、第２上面６９、第３上面７８および第４上面７９）、および、側面（第１外側面６３、第１内側面６４、第２内側面６５、第２外側面６６、第３外側面７３、第３内側面７４、第４内側面７５および第４外側面７６）を被覆する。カバー層１４の材料としては、例えば、ポリイミドなどの絶縁性樹脂が挙げられる。カバー層１４の厚みは、例えば、１μｍ以上、好ましくは、５μｍ以上であり、また、例えば、５００μｍ以下、好ましくは、２００μｍ以下である。
【００６４】
次に、この配線回路基板集合体シート１の製造方法を説明する。
【００６５】
配線回路基板集合体シート１の製造方法は、図２Ａ〜図３Ｇに示すように、基材準備工程（図２Ａ参照）、第１工程の一例としてのレジスト配置工程（図２Ｂ〜図２Ｃ）、第２工程の一例としてのエッチング工程（図２Ｄ参照）、レジスト除去工程（図３Ｅ参照）、カバー工程（図３Ｆ参照）、および、外形加工工程（図３Ｇ参照）を順に備える。
【００６６】
また、この配線回路基板集合体シート１の製造方法は、例えば、ロールトゥロール法に従って、実施される。図４Ｂが参照されるように、ロールトゥロール法では、配線回路基板集合体シート１の製造装置（全部を図示せず）の長手方向両端部に配置される操出ロール１５および巻取ロール１６を用い、各工程において、操出ロール１５から繰り出された後述する各部材が、巻取ロール１６に向けて繰り出されることによって、実施される。
【００６７】
図２Ａに示すように、基材準備工程では、支持シート６と、その厚み方向一方面に配置される金属系シート１７とを備える二層基材４０を準備する。二層基材４０は、好ましくは、支持シート６と、金属系シート１７とのみを備える。
【００６８】
支持シート６は、基材準備工程では、上記した開口部１３（図３Ｇ参照）がまだ形成されておらず、長手方向に連続し、開口部１３を有しない長尺シートとして準備される。一方、この支持シート６は、短手方向一端縁４および他端縁５を含んでいる。
【００６９】
金属系シート１７は、支持シート６の厚み方向一方面全面に配置されている。金属系シート１７は、基材準備工程では、上記した金属系部９に対応するパターンにまだ形成されておらず、長手方向に連続する長尺シートとして準備される。金属系シート１７の材料および厚みは、上記した金属系部９のそれらと同様である。なお、金属系シート１７は、材料が金属である金属シート１７を含む。
【００７０】
例えば、金属系シート１７の厚み方向他方面に樹脂を塗布し、その後、乾燥して、支持シート６を形成することによって、二層基材４０が準備される。あるいは、予め支持シート６および金属系シート１７を備える二層基材４０をそのまま準備することもできる。
【００７１】
図２Ｂ〜図２Ｃおよび図４Ａに示すように、レジスト配置工程では、略矩形枠状のエッチングレジスト２を、金属系シート１７の厚み方向一方面に配置する。
【００７２】
エッチングレジスト２を金属系シート１７に配置するには、例えば、図２Ｂに示すように、まず、シート状のドライフィルムレジスト３を、金属系シート１７の厚み方向一方面全面に配置する。
【００７３】
図２Ｃおよび図４Ａに示すように、次いで、ドライフィルムレジスト３を、フォトリソグラフィー（露光および現像すること）により、略矩形枠状のエッチングレジスト２を形成する。
【００７４】
エッチングレジスト２は、形成すべき上記した金属系部９（図１および図３Ｇ参照）と平面視略同一形状を有する。つまり、エッチングレジスト２は、形成すべき第１金属片１１と平面視略同一形状を有する第１レジスト片２１と、形成すべき第２金属片１２と平面視略同一形状を有する第２レジスト片２２とを一体的に備える。
【００７５】
第１レジスト片２１は、第１方向に沿っている。第１レジスト片２１は、第２方向に間隔を隔てて２つ配置されている。２つの第１レジスト片２１は、同じ長さを有し、第２方向一方側に配置される一方側第１レジスト片３１と、その第２方向他方側に配置される他方側第１レジスト片３３とからなる。なお、第１レジスト片２１は、断面視略矩形状を有しており、例えば、一方側第１レジスト片３１は、第２方向一方側に面する第１レジスト外側面５１と、他方側第１レジスト片３３に面する第１レジスト内側面５３と、それらの厚み方向一端縁を連結する第１レジスト上面５５とを一体的に有する。第１レジスト片２１を延長した第３延長線Ｅ３は、支持シート６の短手方向一端縁４に対して、傾斜している。
【００７６】
第２レジスト２２は、第２方向に沿っている。第２レジスト片２２は、第１方向に間隔を隔てて２つ配置されている。２つの第２レジスト片２２は、同じ長さを有し、第１方向一方側に配置される一方側第２レジスト片３２と、その第１方向他方側に配置される他方側第２レジスト片３４とからなる。なお、第２レジスト片２２は、断面視略矩形状を有しており、例えば、一方側第２レジスト片３２は、第１方向一方側に面する第２レジスト外側面５２と、他方側第２レジスト片３４に面する第２レジスト内側面５４と、それらの厚み方向一端縁を連結する第２レジスト上面５６とを一体的に有する。第２レジスト２２を延長した第４延長線Ｅ４は、支持シート６の短手方向一端縁４に対して、傾斜している。
【００７７】
第１レジスト片２１の第２方向長さＷ３は、第２レジスト片２２の第１方向長さＷ４とは、同一である。なお、第１レジスト片２１の第２方向長さＷ３は、第１レジスト外側面５１および第１レジスト内側面５３間の長さである。第２レジスト片２２の第１方向長さＷ４は、第２レジスト外側面５２および第２レジスト内側面５４間の長さである。
【００７８】
なお、エッチングレジスト２の平面視寸法は、エッチング工程における後述するエッチングにおいて、金属系シート１７がオーバーエッチングされること（オーバーエッチング部５０を生じること）を予想して、予め、金属系部９よりわずかに大きい寸法に設定することができる（図２Ｄの仮想線参照）。
【００７９】
これにより、支持シート６と、金属系シート１７と、エッチングレジスト２とを、厚み方向一方側に向かって順に備えるレジスト積層体２３を作製する。レジスト積層体２３は、好ましくは、支持シート６と、金属系シート１７と、エッチングレジスト２とのみを備える。
【００８０】
図２Ｄおよび図４Ａ〜図４Ｃに示すように、エッチング工程では、レジスト積層体２３を移動させながら、エッチングレジスト２から露出する金属系シート１７をエッチングする。
【００８１】
エッチング工程では、例えば、エッチング装置２５を使用する。
【００８２】
エッチング装置２５は、操出ロール１５および巻取ロール１６の間に配置されている。エッチング装置２５は、吐出部２６を備える。吐出部２６は、幅方向に沿って配置されている。具体的には、吐出部２６は、操出ロール１５および巻取ロール１６の対向方向と、レジスト積層体２３の厚み方向とに直交する直交方向に間隔を隔てて整列配置される複数の吐出口２７を有する。上記した対向方向は、ＭＤ方向に相当し、また、レジスト積層体２３の長手方向にも相当する。また、上記した直交方向は、ＴＤ方向に相当し、また、レジスト積層体２３の幅方向に相当する。なお、吐出部２６は、例えば、エッチング装置２５において、レジスト積層体２３が搬送される予定位置よりも、レジスト積層体２３の厚み方向一方側に配置されている。また、複数の吐出口２７は、金属系シート１７に対してエッチング液を連続的に吐出可能に構成されている。
【００８３】
図４Ａおよび図４Ｂの極太矢印で示すように、エッチング工程では、レジスト積層体２３が、操出ロール１５からエッチング装置２５に向けて繰り出される。なお、レジスト積層体２３が繰り出される方向（移動方向の一例としての搬送方向）は、レジスト積層体２３における支持シート６の短手方向一端縁４および他端縁５に沿っている。
【００８４】
第１レジスト片２１と第２レジスト片２２とは、ともに、レジスト積層体２３の搬送方向（移動方向の一例）に対して傾斜する状態で、レジスト積層体２３が、操出ロール１５からエッチング装置２５に向けて繰り出される。
【００８５】
図４Ｂおよび図４Ｃの破線矢印で示すように、同時に、複数の吐出口２７から、エッチング液が、レジスト積層体２３に向けて、連続して吐出される。
【００８６】
エッチング液としては、金属系シート１７の材料を腐食（浸食、溶解）するが、エッチングレジスト２および支持シート６を腐食しない薬液が挙げられる。
【００８７】
すると、エッチング液が、エッチングレジスト２から露出する金属系シート１７の厚み方向一方面に接触し、かかる面から厚み方向他方側に向かってエッチングが進行する。
【００８８】
詳しくは、第１レジスト片２１と第２レジスト片２２とは、ともに、レジスト積層体２３の搬送方向に対して傾斜する状態で、搬送されながら、複数の吐出口２７からエッチング液が吐出される。すると、図２Ｃ’および図４Ａの実線矢印で示すように、エッチング液は、一方側第１レジスト片３１の第１レジスト外側面５１に、勢いよく衝突し、続いて、その搬送方向下流近傍における金属系シート１７を迅速にエッチングする。同時に、エッチング液は、一方側第２レジスト片３２の第２レジスト外側面５２に、勢いよく衝突し、続いて、その搬送方向下流近傍における金属系シート１７を迅速にエッチングする。
【００８９】
なお、図２Ｃ’および図４Ａの破線矢印で示すように、一方側第１レジスト片３１において、第１レジスト外側面５１に衝突したエッチング液の一部は、第１レジスト上面５５を乗り越えて、第１レジスト内側面５３の搬送方向上流側近傍に至る。このエッチング液は、第１レジスト内側面５３に、上記した第１レジスト外側面５１に対する衝突に比べて、緩慢に接触する。そのため、エッチング液は、第１レジスト内側面５３の搬送方向上流近傍における金属系シート１７を、緩慢にエッチングする。同時に、一方側第２レジスト片３２において、第２レジスト外側面５２に衝突したエッチング液の一部は、第２レジスト上面５６を乗り越えて、第２レジスト内側面５４の搬送方向上流側近傍に至る。このエッチング液は、第２レジスト内側面５４に、上記した第２レジスト外側面５２に対する衝突に比べて、緩慢に接触する。そのため、エッチング液は、第２レジスト内側面５４の搬送方向上流近傍における金属系シート１７を、緩慢にエッチングする。
【００９０】
エッチング液は、一方側第２レジスト片３２の第２レジスト外側面５２に沿って流れた後、一方側第２レジスト片３２および他方側第１レジスト片３３の第１角部８１を回り込む。このエッチング液は、他方側第１レジスト片３３の搬送方向上流近傍における金属系シート１７を緩慢にエッチングする。同時に、エッチング液は、一方側第１レジスト片３１の第１レジスト外側面５１に沿って流れた後、一方側第１レジスト片３１および他方側第２レジスト片３４の第２角部８２（第１角部８１に対向する角部）を回り込む。このエッチング液は、他方側第２レジスト片３４の搬送方向上流近傍における金属系シート１７を緩慢にエッチングする。
【００９１】
他方、一方側第２レジスト片３２を乗り越えたエッチング液は、他方側第１レジスト片３３に衝突して、他方側第１レジスト片３３の搬送方向下流近傍の金属系シート１７をエッチングし、また、エッチング液の一部が、他方側第１レジスト片３３を乗り越えて、他方側第１レジスト片３３の上流近傍の金属系シート１７をエッチングする。同時に、一方側第１レジスト片３１を乗り越えたエッチング液は、他方側第２レジスト片３４に衝突して、他方側第２レジスト片３４の搬送方向下流近傍の金属系シート１７をエッチングし、また、エッチング液の一部が、他方側第２レジスト片３４を乗り越えて、他方側第２レジスト片３４の搬送方向上流近傍の金属系シート１７をエッチングする。
【００９２】
これにより、図２Ｄに示すように、平面視略矩形枠形状のエッチングレジスト２と略同一の平面視形状（すなわち、平面視略矩形枠形状）を有する金属系部９を形成する。
【００９３】
金属系部９を備えるレジスト積層体２３は、洗浄、乾燥など、適宜の処理を施された後、巻取ロール１６に巻き取られる。
【００９４】
その後、図３Ｅに示すように、レジスト除去工程において、エッチングレジスト２を、例えば、剥離などによって、除去する。
【００９５】
その後、図３Ｆに示すように、カバー工程において、カバー層１４を、支持シート６の厚み方向一方側に、金属系部９の厚み方向一方面および側面を被覆するように、配置する。
【００９６】
その後、図３Ｇに示すように、外形加工工程において、支持シート６を外形加工して、支持シート６に開口部１３を、厚み方向を貫通するように、形成する。同時に、ジョイント１０（図１参照）を形成して、複数の配線回路基板７を、ジョイント１０を介して、支持シート６に分離可能に支持させる。支持シート６の外形加工として、例えば、エッチング、切削（切断）などが用いられる。
【００９７】
これにより、支持シート６と、複数の配線回路基板７とを備える配線回路基板集合体シート１を製造する。
【００９８】
その後、ジョイント部１０を切断して、図１の右下図に示すように、配線回路基板７を支持シート６から分離して、配線回路基板７を得る。
【００９９】
そして、この配線回路基板集合体シート１では、支持シート６を、短手方向一端縁４が延びる長手方向に沿ってエッチング装置２５に搬送しながら、その長手方向に相当するＭＤ方向と直交するＴＤ方向に沿って配置される吐出部２６からのエッチング液の吐出によって、金属系部９が形成される。そのため、第１金属片１１および第２金属片１２は、ともに、ＭＤ方向に対して傾斜するので、ＴＤ方向に対しても傾斜する。そのため、第１金属片１１および第２金属片１２は、ともに、吐出部２６に対しても傾斜している。その後、第１金属片１１および第２金属片１２は、上記した同様のエッチング条件で形成される。
【０１００】
詳しくは、図４Ａに示すように、一方側第１レジスト片３１の第１レジスト外側面５１に衝突するエッチング液の勢いと、一方側第２レジスト片３２の第２レジスト外側面５２に衝突するエッチング液の勢いとは、一方側第１レジスト片３１および一方側第２レジスト片３２が、ともに、吐出部２６に対して傾斜していることから、同程度である。そのため、第１レジスト外側面５１の搬送方向下流近傍における金属系シート１７のエッチング速度と、搬送方向下流側面５２の搬送方向下流近傍における金属系シート１７のエッチング速度とが、同程度となる。
【０１０１】
そのため、図２Ｄに示すように、一方側第１金属片６１の第１外側面６３と、一方側第２金属片７１の第３外側面７３との位置精度が、同程度となる。そのため、一方側第１金属片６１と一方側第２金属片７１との外形の位置精度を整合させることができる。
【０１０２】
さらに、図４Ａに示すように、一方側第２レジスト片３２の搬送方向下流側面５２に沿って流れた後、第１角部８１を回り込んだエッチング液は、他方側第１レジスト片３３の搬送方向上流（第２方向他方側）近傍における金属系シート１７を緩慢にエッチングする。
【０１０３】
また、一方側第１レジスト片３１の搬送方向下流側面５１に沿って流れた後、第２角部８２を回り込んだエッチング液は、他方側第２レジスト片３４の搬送方向上流（第１方向他方側）近傍における金属系シート１７を緩慢にエッチングする。
【０１０４】
他方側第１レジスト片３３の搬送方向上流近傍における金属系シート１７をエッチングする緩慢さと、他方側第２レジスト片３４の搬送方向上流近傍における金属系シート１７をエッチングする緩慢さは、同程度となり、すると、両者のエッチング速度も、同程度となる。
【０１０５】
そのため、図１に示すように、他方側第１金属片６２の第２外側面６６の位置精度と、他方側第２金属片７２の第４外側面７６の位置精度とが、同程度となる。そのため、他方側第１金属片６２と他方側第２金属片７２との外形の位置精度とを整合させることができる。
【０１０６】
総括すると、第１金属片１１および第２金属片１２の外形は、同じ精度で形成される。その結果、配線回路基板集合体シート１は、外形の位置精度に優れる金属系部９を備える配線回路基板７を備えることができる。
【０１０７】
一方、図５Ａおよび図５Ｂに示すように、第１方向が短手方向に沿い、また、第２方向が長手方向に沿う比較例では、第１方向が、ＭＤ方向に対して直交している。すると、エッチング工程において、エッチング液は、一方側第１レジスト片３１の搬送方向下流側面５１に、最も勢いよく衝突し、一方側第１レジスト片３１の搬送方向下流近傍の金属系シート１７を、最も速いエッチング速度で、エッチングする。
【０１０８】
続いて、２つの第２レジスト片２２の外側面には、一方側第１レジスト片３１の両端部を回り込んだエッチングが、比較的に緩慢に接触する。そのため、第２レジスト片２２の外側近傍の金属系シート１７のエッチング速度は、一方側第１レジスト片３１の搬送方向下流近傍の金属系シート１７のエッチング速度に比べて緩慢である。
【０１０９】
その後、他方側第１レジスト片３３には、２つの第２レジスト片２２の搬送方向上流側端部をさらに回り込んだエッチングが、最も緩慢に接触する。そのため、他方側第１レジスト片３３の搬送方向上流近傍の金属系シート１７のエッチング速度は、第２レジスト片２２の外側近傍の金属系シート１７のエッチング速度に比べてさらに緩慢であり、つまり、最も緩慢である。
【０１１０】
すると、図５Ｃに示すように、一方側第１金属片６１（一方側の第１金属片１１）の第１外側面６３と、一方側第２金属片７１および他方側第２金属片７４（２つの第２金属片１２）（図５Ｃにおいては、他方側第２金属片７４のみが図示される）の外側面との位置精度とが、不整合となる。
【０１１１】
さらには、一方側第２金属片７１および他方側第２金属片７２（２つの第２金属片１２）の外側面と、他方側第１金属片６２（他方側の第１金属片１１）の第２外側面７６との位置精度も、不整合となる。
【０１１２】
そのため、第１金属片１１および第２金属片１２の外形は、全く異なる精度で形成される。
【０１１３】
一方、この配線回路基板集合体シート１の製造方法では、図４Ａが参照されるように、エッチング工程では、第１レジスト片２１と第２レジスト片２２とが、ともに、レジスト積層体２３の搬送方向に対して傾斜する状態で、レジスト積層体２３を移動させながら、エッチングレジスト２から露出する金属系シート１７をエッチングさせるので、第１レジスト片２１および第２レジスト片２は、ともに、搬送方向であるＭＤ方向に対して傾斜する。そのため、複数の吐出口２７の整列方向に対しても傾斜している。第１金属片１１と第２金属片１２とが、ともに、エッチング装置２５の塗布部２６から吐出されるエッチング液によって、同様の条件で形成される。従って、第１金属片１１および第２金属片１２を、同じ外形精度で形成することができる。その結果、外形精度に優れる金属系部９を備える配線回路基板集合体シート１を製造することができる。
【０１１４】
さらにまた、一方側第２レジスト片３２を乗り越えたエッチング液は、一方側第２レジスト片３２の搬送方向上流近傍の金属系シート１７をエッチングし、続いて、他方側第１レジスト片３３に衝突して、そのまま他方側第１レジスト片３３の搬送方向下流近傍の金属系シート１７を勢いよくエッチングする。また、一方側第１レジスト片３１を乗り越えたエッチング液は、一方側第１レジスト片３１の搬送方向上流近傍の金属系シート１７をエッチングし、続いて、他方側第２レジスト片３４に衝突して、そのまま他方側第２レジスト片３４の搬送方向下流近傍の金属系シート１７を勢いよくエッチングする。
【０１１５】
そして、この製造方法では、レジスト配置工程において、第１レジスト片２１（一方側第１レジスト片３１および他方側第１レジスト片３３）の第２方向長さＷ３と、第２レジスト片２２（一方側第２レジスト片３２および他方側第２レジスト片３４）の第１方向長さＷ４とを同一にしている。そのため、エッチング工程では、エッチング液が一方側第１レジスト片３１を乗り越える条件と、エッチング液が一方側第２レジスト片３２を乗り越える条件とを同様にでき、併せて、エッチング液が他方側第１レジスト片３３に衝突する条件と、エッチング液が他方側第２レジスト片３４に衝突する条件とを同様にできる。
【０１１６】
従って、一方側第１レジスト片３１の搬送方向上流近傍の金属系シート１７のエッチングと、一方側第２レジスト片３２の搬送方向上流近傍の金属系シート１７のエッチングとを、同様の条件で実施できる。同時に、他方側第１レジスト片３３の搬送方向下流近傍の金属系シート１７のエッチングと、他方側第２レジスト片３４の搬送方向下流近傍の金属系シート１７のエッチングとを、同様の条件で実施できる。
【０１１７】
そのため、一方側第１レジスト片３１に被覆される一方側第１金属片６１の第２方向長さＷ１と、一方側第２レジスト片３２に被覆される一方側第２金属片７１の第１方向長さＷ２とを同一にすることができる。同時に、他方側第１レジスト片３３に被覆される他方側第１金属片６２の第２方向長さＷ１と、他方側第２レジスト片３４に被覆される他方側第２金属片７２の第１方向長さＷ２とを同一にすることができる。
【０１１８】
総括すると、第１レジスト片２１に被覆される第１片１１の第２方向長さＷ１と、第２レジスト片２２に被覆される第２片１２の第１方向長さＷ２とを同一にすることができる。
【０１１９】
また、この配線回路基板集合体シート１では、金属系部９が配線を含むので、所望の電気特性を奏することができる。
【０１２０】
さらに、この配線回路基板７の製造方法は、上記した配線回路基板集合体シート１を製造し、その後、配線回路基板７を支持シート６から分離するので、外形の精度に優れる金属系部９を備える配線回路基板７を製造することができる。
【０１２１】
このような配線回路基板７の用途は、特に限定されず、各種分野に用いられる。配線回路基板１は、例えば、電子機器用配線回路基板（電子部品用配線回路基板）、電気機器用配線回路基板（電気部品用配線回路基板）などの各種用途で用いられる。電子機器用配線回路基板および電気機器用配線回路基板としては、例えば、位置情報センサー、障害物検知センサー、温度センサーなどのセンサーで用いられるセンサー用配線回路基板、例えば、自動車、電車、航空機、工作車両などの輸送車両で用いられる輸送車両用配線回路基板、例えば、フラットパネルディスプレイ、フレキシブルディスプレイ、投影型映像機器などの映像機器で用いられる映像機器用配線回路基板、例えば、ネットワーク機器、大型通信機器などの通信中継機器で用いられる通信中継機器用配線回路基板、例えば、コンピュータ、タブレット、スマートフォン、家庭用ゲームなどの情報処理端末で用いられる情報処理端末用配線回路基板、例えば、ドローン、ロボットなどの可動型機器で用いられる可動型機器用配線回路基板、例えば、ウェアラブル型医療用装置、医療診断用装置などの医療機器で用いられる医療機器用配線回路基板、例えば、冷蔵庫、洗濯機、掃除機、空調機器などの電気機器で用いられる電気機器用配線回路基板、例えば、デジタルカメラ、ＤＶＤ録画装置などの録画電子機器で用いられる録画電子機器用配線回路基板などが挙げられる。
【０１２２】
変形例
以下の各変形例において、上記した一実施形態と同様の部材および工程については、同一の参照符号を付し、その詳細な説明を省略する。また、各変形例は、特記する以外、一実施形態と同様の作用効果を奏することができる。さらに、一実施形態および変形例を適宜組み合わせることができる。
【０１２３】
一実施形態では、エッチング工程において、金属系シート１７に対して、エッチング液を用いるウエットエッチングを実施しているが、例えば、レーザー加工などのドライエッチングを実施することもできる。この場合には、図示しないレーザー照射装置に、ＴＤ方向に走査可能な図示しないレーザー照射部を備える。
【０１２４】
図１に示すように、一実施形態では、第１金属片１１の幅Ｗ１と、第２金属片１２の幅Ｗ２とが、同一であるが、図６Ａに示すように、相違してもよい。
【０１２５】
図６Ａに示す変形例では、一方側第１金属片６１の幅Ｗ１Ａは、一方側第２金属片７１の幅Ｗ２Ａと相違しており、例えば、一方側第２金属片７１の幅Ｗ２Ａに対して、大きい。あるいは、図示しないが、この逆であってもよい。
【０１２６】
図６Ａに示す変形例では、他方側第１金属片６２の幅Ｗ１Ｂは、他方側第２金属片７２の幅Ｗ２Ｂと相違しており、例えば、他方側第２金属片７２の幅Ｗ２Ｂに対して、大きい。あるいは、図示しないが、この逆であってもよい。
【０１２７】
また、図６Ｂに示すように、２つの第１金属片１１の幅Ｗ１が互いに相違してもよい。一方側第１金属片６１の幅Ｗ１Ａは、他方側第１金属片６２の幅Ｗ１Ｂと相違しており、例えば、他方側第１金属片６２の幅Ｗ１Ｂに対して、大きい。あるいは、図示しないが、この逆であってもよい。
【０１２８】
また、図６Ｂに示す変形例では、２つの第１金属片１２の幅Ｗ２が互いに相違してもよい。一方側第２金属片７１の幅Ｗ２Ａは、他方側第２金属片７２の幅Ｗ２Ｂと相違しており、例えば、他方側第２金属片７２の幅Ｗ２Ｂに対して、大きい。あるいは、図示しないが、この逆であってもよい。
【０１２９】
また、図３Ｇの実線で示すように、一実施形態では、支持部８が、単層であるが、複層であってもよく、この変形例では、図３Ｇの仮想線で示すように、好ましくは、２層である。
【０１３０】
具体的には、図８Ｉに示すように、支持部８は、２層であり、例えば、支持層の一例としての金属支持部２８および樹脂支持部２９を厚み方向一方側に向かって順に備える。この変形例において、好ましくは、支持部８は、金属支持部２８および樹脂支持部２９のみを備える。
【０１３１】
また、この変形例では、本発明の金属系部の一例は、金属系部９、さらに、金属支持部２８である。
【０１３２】
図２Ｃ〜図２Ｄに示すように、一実施形態では、レジスト配置工程およびエッチング工程を、それぞれ、１回実施しているが、例えば、複数回実施することもできる。
【０１３３】
例えば、図７Ｂ〜図７Ｃに示すように、金属系シート１７から金属系部９を、第１回目のエッチング工程で形成し、その後、図８Ｇ〜図８Ｈに示すように、金属支持シート３０から金属支持部２８を、第２回目のエッチング工程で形成する。
【０１３４】
この変形例では、例えば、図７Ａに示すように、まず、支持シートの一例としての金属支持シート３０、絶縁シート４６および金属系シート１７を厚み方向一方側に向かって順に備える三層基材４８を準備する。絶縁シート４６および金属系シート１７は、いずれも、金属支持シート３０と同一の平面視形状を有する。絶縁シート４６の材料としては、一実施形態の支持シート６で例示した樹脂が挙げられる。三層基材４８は、互いに平行する短手方向一端縁４および他端縁５を有する。
【０１３５】
図７Ｂに示すように、その後、エッチングレジスト２を、三層基材４８の厚み方向両方面に配置する。具体的には、エッチングレジスト２を、金属系シート１７の厚み方向一方面においては、上記したパターンで形成し、金属系シート１７の厚み方向他方面においては、その全面に配置する。
【０１３６】
これにより、三層基材４８およびエッチングレジスト２を備える第１レジスト積層体３９を作製する。
【０１３７】
図７Ｃに示すように、その後、エッチングレジスト２の第１レジスト片２１と第２レジスト片２２とが、搬送方向に対して傾斜する状態で、第１レジスト積層体３９を搬送させながら、エッチングレジスト２から露出する金属系シート１７をエッチングして、第１回目のエッチング工程を実施する。これにより、平面視略矩形枠形状の金属系部９を形成する。
【０１３８】
図７Ｄに示すように、その後、エッチングレジスト２を除去する。
【０１３９】
図７Ｅに示すように、絶縁シート４６から、樹脂支持部２９を、例えば、切削（切断）、エッチングなどによって、形成する。
【０１４０】
図８Ｆに示すように、続いて、カバー層１４を、樹脂支持部２９の厚み方向一方側に、金属系部９の厚み方向一方面および側面を被覆するように、配置する。
【０１４１】
図８Ｇ〜図８Ｉに示すように、その後、第２回目のレジスト配置工程およびエッチング工程を順に実施する。
【０１４２】
図８Ｇに示すように、具体的には、まず、第３レジスト片３６、第４レジスト片３７および第５レジスト部３８を備える第２エッチングレジスト２４を、金属支持シート３０の厚み方向両方面に配置する。金属支持シート３０の厚み方向一方面に配置される第２エッチングレジスト２４と、金属支持シート３０の厚み方向他方面に配置される第２エッチングレジスト２４とは、厚み方向に投影したときに、同一形状を有する。なお、金属支持シート３０の厚み方向一方面に配置される第３レジスト片３６および第４レジスト片３７は、樹脂支持部２９の側面、カバー層１４の側面および厚み方向一方面を被覆する。これにより、第２レジスト積層体４９を作製して、第２回目のレジスト配置工程を実施する。
【０１４３】
その後、図８Ｈに示すように、第２エッチングレジスト２４の第３レジスト片３６と第４レジスト片３７が、搬送方向（図７における紙面奥行き方向）に対して傾斜する状態で、第２レジスト積層体４９を搬送させながら、第２エッチングレジスト２４から露出する金属支持シート３０をエッチングして、第２回目のエッチング工程を実施する。これにより、平面視略矩形枠形状の金属支持部２８を形成する。
【０１４４】
その後、図８Ｉに示すように、第２エッチングレジスト２４を除去する。
【０１４５】
これにより、配線回路基板７を複数備える配線回路基板集合体シート１が製造される。
【０１４６】
この配線回路基板７は、金属支持部２８、その厚み方向一方面に配置される樹脂支持部２９、その厚み方向一方面に配置される金属系部９、および、樹脂支持部２９の厚み方向一方面に、金属系部９の厚み方向一方面および側面を被覆するように配置されるカバー層１４を備える。配線回路基板７は、厚み方向を貫通する第２開口部４１を有する。
【０１４７】
この配線回路基板集合体シート１では、金属支持部２８が、支持部８に含まれるので、金属支持部２８が、金属系部９を絶縁支持部２９を介して確実に支持しながら、金属系部９で発生する熱を予定された熱伝導性に基づいて拡散させることができる。とりわけ、配線回路基板７は、第２開口部４１を備えるので、第２開口部４１における空気の流れに基づく対流によっても、熱伝導性をより一層向上させることができる。
【０１４８】
また、上記した一実施形態および変形例のエッチング工程では、少なくとも金属系シート１７をエッチングしている。具体的には、図２Ｄに示す一実施形態では、金属系シート１７をエッチングし、図７Ｅおよび図８Ｉに示す変形例では、金属系シート１７および金属支持シート３０をエッチングしている。しかし、例えば、図示しないが、金属系シート１７をエッチングせず、金属支持シート３０のみをエッチングして、金属系部の一例として、金属支持部２８のみを形成することもできる。
【０１４９】
また、例えば、配線回路基板集合体シート１は、ロールトゥロール法ではなく、枚葉法で、製造することもできる。
【０１５０】
さらに、図９Ａに示すように、所定長さを有する平面視略矩形状の二層基材２３を、搬送方向、および、吐出部２６に沿う方向の両方に対して傾斜させて、エッチング装置２５に搬送して、第２工程を実施することもできる。
【０１５１】
この二層基材２３は、短手方向一端縁４および他端縁５に加え、長手方向一端縁４３および他端縁４４を有する。二層基材２３において、短手方向一端縁４および他端縁５は、同一長さを有する。また、長手方向一端縁４３および他端縁４４は、同一長さを有し、短手方向一端縁４および他端縁５を連結する。
【０１５２】
エッチングレジスト２の矩形枠形状の外形は、二層基材２３の長さ方向に対して、真っ直ぐに並列配置されている。具体的には、第１レジスト片２１は、二層基材２３の短手方向一端縁４に平行する。第２レジスト片２２は、二層基材２３の長手方向一端縁４３に平行する。
【０１５３】
第２工程では、第１レジスト片２１は、搬送方向、および、吐出部２６に沿う方向に対し傾斜し、また、第２レジスト片２２も、搬送方向、および、吐出部２６に沿う方向に対し傾斜した状態で、レジスト積層体２３が、エッチング装置２５に搬送される。
【０１５４】
第２工程を実施した後、得られる配線回路基板集合体シート１において、複数の配線回路基板７は、配線回路基板集合体シート１の長さ方向に対して、真っ直ぐに並列配置されている。具体的には、配線回路基板７の第１端縁１８は、配線回路基板集合体シート１の短手方向一端縁４に平行する。配線回路基板７の第２端縁１９は、配線回路基板集合体シート１の長手方向一端縁４３に平行する。
【符号の説明】
【０１５５】
１     配線回路基板集合体シート
２     エッチングレジスト
４     短手方向一端縁
５     短手方向他端縁
６     支持シート
７     配線回路基板
９     金属系部
１１   第１金属片
１２   第２金属片
１７   金属系シート
２１   第１レジスト片
２２   第２レジスト片
２４   第２エッチングレジスト
２８   金属支持部
２９   樹脂支持部
３０   金属支持シート
３１   一方側第１レジスト片
３２   一方側第２レジスト片
３３   他方側第１レジスト片
３４   他方側第２レジスト片
３５   金属層
３９   第１レジスト積層体
４２   第２レジスト積層体
【図１】
2019212657.tif 000003
【図２】
2019212657.tif 000004
【図３】
2019212657.tif 000005
【図４】
2019212657.tif 000006
【図５】
2019212657.tif 000007
【図６】
2019212657.tif 000008
【図７】
2019212657.tif 000009
【図８】
2019212657.tif 000010
【図９】
2019212657.tif 000011